(57)【要約】【課題】  締固め機などの各種作業機に設けられる操作ハンドルには、上下、前後、左右方向の合成された振動が伝えられるので、それぞれの方向の振動を同時に吸収するための方策が課題となる。【解決手段】ハンドルロッド２の下端を作業機側面に弾性体４ａ,４ｂを介して回動可能に連結するとともに、ハンドルロッド２の上端に、Ｕ字型補助ハンドル１０の接続脚１２の下端を、弾性体１４ａ、１４ｂを有する連結金具１３を介して回動可能な状態で、ハンドルロッド２の長さ方向に対して９０度の向きに突設する。【選択図】  図１
2006169759.tif 000002
【特許請求の範囲】
【請求項１】
路盤等に振動力を加える作業機の操作ハンドルであって、上端間が把手バーにより連結されていない左右一対のハンドルロッドの下端を、作業機の両側に設けたゴムなどの弾性体を介在した連結部によって、作業機の振動に対して前後左右方向に回動ならびに揺動可能なるように連結し、これらのハンドルロッド上端には、グリップバーとその両側の接続脚とからなるＵ字型補助ハンドルの前記接続脚を、ゴム等の弾性体を介在した接続部によって所定の角度を保持しつつ、作業機の振動に対して前後、上下、左右方向に回動ならびに揺動可能なるようにして、前記ハンドルロッド下端の連結部と補助ハンドルの接続部とを結ぶ線に対して直交する向きに接続したことを特徴とする作業機用操作ハンドル。
【請求項２】
路盤等に振動力を加える作業機の操作ハンドルであって、上端間が把手バーにより連結された左右一対のハンドルロッドの下端を、作業機の両側に設けたゴム等の弾性体を介在した連結部によって、作業機の振動に対して前後左右方向に回動ならびに揺動可能なるように連結し、これらのハンドルロッド上端には、グリップバーとその両側の接続脚とからなるＵ字型補助ハンドルの前記接続脚を、ゴム等の弾性体を介在した接続部によって所定の角度を保持しつつ、作業機の振動に対して前後、上下、左右方向に回動ならびに揺動可能なるようにして、前記ハンドルロッド下端の連結部と補助ハンドルの接続部とを結ぶ線に対して直交する向きに接続したことを特徴とする作業機用操作ハンドル。
【請求項３】
補助ハンドルが、グリップバーとその両側の接続脚とからなるＵ字型であって、補助ハンドルの接続脚が、ハンドルロッド上端に防振ゴムを介在した接続部によって、ハンドルロッドの長さ方向に対し上方へ向けて直交すように突設されている請求項１又は２の作業機用操作ハンドル。
【請求項４】
補助ハンドルが、グリップバーとその両側の接続脚とからなるＵ字型であって、補助ハンドルの接続脚が、ハンドルロッド上端に防振ゴムを介在した接続部によって、ハンドルロッドの長さ方向に対し下方へ向けて直交すように突設されている請求項１又は２の作業機用操作ハンドル。
【発明の詳細な説明】
【技術分野】
【０００１】
本発明は、例えば、プレートコンパクター、タンピングランマー、バイブロコンパクターあるいはバイブレーションローラなどのように、路面等に振動による締固め力を加える各種作業機に設けられる操作ハンドルの改良に関するものである。
【背景技術】
【０００２】
一般的にプレートコンパクター、バイブロコンパクター等と呼ばれるこの種の作業機では、機体を操作するための操作ハンドルが作業機の後部上方へ突出していて、機体に発生する振動が操作ハンドルに伝達されるので、操作ハンドルを保持している作業者に作業機の振動が直接伝えられ、作業者が振動による障害を受けるとうい問題がある。
【０００３】
そのため、従来よりこの種の作業機においては、いかにすれば操作ハンドルに伝達される機体からの振動を軽減できるかということが古くから課題とされており、一般的には、操作ハンドルの上端間に設けられる把手バーを、左右のハンドルロッドに対して防振ゴムを介して連結するなどの手段で対応していたが、防振ゴムにより振動の一部は吸収できたとしても、各種の振動を的確に吸収することまでは期待できず、なお一層効率的な振動吸収の手段の開発が望まれている。
【発明の開示】
【発明が解決しようとする課題】
【０００４】
しかしながら、この種の作業機では、機体内に設けた起振体により機体を斜め上方へジャンプさせて、機体に前方もしくは後方への移動力を与えるため、機体の後方へ突出した操作ハンドルを操作する作業者は、機体から上下、前後、及び左右方向から合成された振動を受けることになるため、ただ単にハンドルの一部に防振ゴムを設けただけでは、上下、前後、左右方向からの振動を適切に防振することができないという問題を有していた。
【０００５】
本発明は、この種の作業機の操作ハンドルに伝えられる上下、前後、左右方向からの振動を、簡単な手段によって適切に防振できるように改良を加えたものであり、これによって有効な振動低減を期待することのできる作業機用操作ハンドルの提供を目的としたものである。
【課題を解決するための手段】
【０００６】
本発明は、従来の作業機用操作ハンドルにおける上記のような問題点を解消するための手段として、上端間が把手バーにより連結されていない左右一対のハンドルロッドの下端を、作業機の両側に設けたゴムなどの弾性体を介在した連結部によって、作業機の振動に対して前後左右方向に回動ならびに揺動可能なるように連結し、これらのハンドルロッド上端には、グリップバーとその両側の接続脚とからなるＵ字型補助ハンドルの前記接続脚を、ゴム等の弾性体を介在した接続部によって所定の角度を保持しつつ、作業機の振動に対して前後、上下、左右方向に回動ならびに揺動可能なるようにして、前記ハンドルロッド下端の連結部と補助ハンドルの接続部とを結ぶ線に対して直交する向きに接続したことを特徴とする。
【０００７】
操作ハンドルは、上端間が把手バーにより連結されている左右一対のハンドルロッドであってもよく、これらのハンドルロッドの下端を、作業機の両側に設けたゴムなどの弾性体を介在した連結部によって、作業機の振動に対して前後左右方向に回動ならびに揺動可能なるように連結し、これらのハンドルロッド上端には、グリップバーとその両側の接続脚とからなるＵ字型補助ハンドルの前記接続脚を、ゴム等の弾性体を介在した接続部によって所定の角度を保持しつつ、作業機の振動に対して前後、上下、左右方向に回動ならびに揺動可能なるようにして、前記ハンドルロッド下端の連結部と補助ハンドルの接続部とを結ぶ線に対して直交する向きに接続する構造としてもよい。
【０００８】
補助ハンドルは、グリップバーとその両側の接続脚とからなるＵ字型であって、この補助ハンドルの接続脚が、ハンドルロッド上端に防振ゴムを介在した接続部によって、ハンドルロッドの長さ方向に対し上方へ向け９０度の角度をもって突設されている構造が好ましい。
【０００９】
また、このＵ字型補助ハンドルは、接続脚を、ハンドルロッド上端部の防振ゴムを内蔵した接続金具を介して、ハンドルロッドの長さ方向に対し下方へ向け９０度の角度をもって突設するな構造としてもよい。
【発明の効果】
【００１０】
補助ハンドルの接続脚を、ハンドルロッドの下端の連結部と補助ハンドルの接続部とを結んだ線、例えば、ハンドルロッドの長さ方向と直交するような向きに設けた場合でも、接続脚の下端がハンドルロッドに対して回転することなく、しっかりと固定されている場合には、ハンドルロッドから伝えられる振動によって補助ハンドルもハンドルロッドと一体的に前後、上下方向に振動するため、補助ハンドルを保持する作業者は、ハンドルロッドに生ずる振動の変移量を直接受けてしまうことになる。
【００１１】
これに対して、本発明の操作ハンドルでは、Ｕ字型補助ハンドルの両側の接続脚が、接続部内の弾性体により所定の回動角度を保持しつつ、作業機の振動により前後左右方向に回動ならびに揺動できる状態で、ハンドルロッドの長さ方向に対して直交する向きに接続されているので、作業者が補助ハンドルを同じ位置に保持しようとすると、接続脚が弾性体の伸縮力により回転できる角度範囲の前後方向へ回動して、ハンドルに伝達される上下及び前後方向の振動に伴う変移量を大幅に減少させることができ、結果として、作業者が感じる振動量を有効に低減することができる。
【００１２】
一方、この種の作業機では、上記のような上下、前後方向に対する振動の外に、輾圧する路盤条件などの理由により、機体が左右方向に振られることがあり、このような左右方向への振れによって、機体の後方に突設したハンドルロッドを保持している作業者に左右方向への振動が伝えられることがある。
【００１３】
このような上下、前後方向の振動に対して、本発明の操作ハンドルでは、ハンドルロッドの下端部が、作業機の両側に設けた弾性体を有する連結部によって、作業機の振動に対して前後左右方向に回動ならびに揺動できるように接続されていることと、ハンドルロッド上端に弾性体を有する接続部を設けて、Ｕ字型補助ハンドルの接続脚が、接続部内で弾性体により所定の回動角度を保持しつつ、作業機の振動に対して前後左右方向へ回動ならびに揺動できるように、ハンドルロッドの長さ方向に対して直交する向きに接続されているので、例えば、機体が左方向へ振れた際に、ハンドルロッドと補助ハンドルの接続脚が接続部内で反対の右方向へ回動して、ハンドルロッドが左方向へ振れる力をハンドルロッドと補助ハンドルが抑制することになり、作業者が受ける左右方向への振動量を軽減することができる。
【発明を実施するための最良の形態】
【００１４】
この作業機用操作ハンドルでは、上端間が把手バーにより連結されていない左右一対のハンドルロッドを用いる場合と、上端間が把手バーにより連結されている左右一対のハンドルロッドを用いる場合とがあるが、左右のハンドルロッドの上端が把手により連結されていないハンドルの方が、上下、前後、左右の振動を有効に吸収するので好ましい。
【実施例】
【００１５】
次に、本発明に係る作業機用操作ハンドルの実施例を図面に基づいて説明すると、図１は、それぞれ上端の間が把手バーにより連結されていない左右一対のハンドルロッド２を用いた全体の側面図であって、左右のハンドルロッド２は、それぞれの下端部が、作業機１の両側に設けたゴムなどの弾性体４を介在した連結部３によって作業機１に軸着されていて、弾性体４が作業機１の振動を吸収してハンドルロッド２に作業機１の振動が直接伝わらないようにするとともに、弾性体４の伸縮性によってハンドルロッド２が前後左右方向に揺動できるように接続されている。
【００１６】
左右一対のハンドルロッド２の下端部を作業機１の両側に連結するための連結部３は、図３に示すように、ハンドルロッド２の下端と作業機１の側面とが軸着される同一軸線上に軸受けパイプ６を配置し、この軸受けパイプ６の外周にハンドルロッド２の下端を溶接したカップリング７が嵌合されるようになっている。
【００１７】
前記カップリング７の開放端には、当て板９をあてがってから、軸受けパイプ６内に、図３の右側方向から横軸８を挿着して、横軸８の先端のネジ部８ａを軸受けパイプ６の内奥に位置した作業機側ネジ部８ｂに螺着することで、カップリング７を軸受けパイプ６に軸着するが、カップリング７の内周面と軸受けパイプ６の外周面との間に防振ゴムなどの弾性体４ａ、およびカップリング７の上方のハンドルロッド下端部外周２ａとカップリング７の外周面との間に防振ゴムなどの弾性体４ｂが一体的に付着されるように構成されている。
【００１８】
そのため、この連結部３では、作業機１からの直接的な振動は弾性体４ａ、４ｂが吸収し、かつ、弾性体４ａ，４ｂの伸縮性によってハンドルロッド２が横軸８の周りを前後方向だけでなく、上下方向および左右方向にも適度に揺動できるように構成されている。
【００１９】
一方、それぞれのハンドルロッド２上端には、図５及び図６に示すように、弾性体１４ａ、１４ｂを内蔵した接続部１３を設けて、グリップバー１１とその両側の接続脚１２とからなるＵ字型補助ハンドル１０の前記接続脚１２が、接続部１３内の弾性体１４ａ、１４ｂにより所定の回動角度を保持しつつ、作業機１の振動に対して前後、上下、左右方向に回動ならびに揺動できるようにして、ハンドルロッド２下端の連結部３と補助ハンドル１０の接続部とを結ぶ線、例えば、ハンドルロッド２の長さ方向に対して９０度の角度で上向きに突設されている。
【００２０】
Ｕ字型補助ハンドル１０の両側の接続脚１２をハンドルロッド２の上端部に接続するための接続部１３は、図４、図５に示すように、ハンドルロッド２の上端に溶接された金属製箱形ケース１５内に、接続脚１２を横軸１８により軸着するための軸受けパイプ１６が配置されていて、この軸受けパイプ１６の外周に接続脚１２の下端が溶接されたカップリング１７が嵌合されている。
【００２１】
前記カップリング１７の開放端には、当て板１９をあてがってから、軸受けパイプ１６内に、前記当て板１９の位置する方向から横軸１８を挿着して、この横軸１８の先端のネジ部１８ａを箱形ケース１５の側面外方へ突出させて、ネジ部１８ａにナット２０を螺着するが、カップリング１７の内周面と軸受けパイプ１６の外周面との間に防振ゴムなどの弾性体１４ａが、また、カップリング１７の上方の接続脚下端部外周１２ａとカップリング１７の外周面との間には弾性体１４ｂが一体的に付着されるように構成されている。なお、前記弾性体１４ｂは箱形ケース１５の内周面との間で動けるように隙間１５ａをおいて設けられるようになっている。
【００２２】
そのため、この接続部１３では、弾性体１４ａ、１４ｂが、補助ハンドル１０の接続脚１２をハンドルロッド２に対して９０度の設定角度に保持しているとともに、ハンドルロッド２によって作業機１からの振動が伝えられると、ハンドルロッド２からの振動を弾性体１４ａ，１４ｂが吸収し、かつ、弾性体１４ａ，１４ｂの伸縮性によってハンドルロッド２が横軸１８の周りを前後方向だけでなく、上下方向および左右方向にも適度に揺動できるように構成されている。
【００２３】
図７は、図１のように作業機１を側面方向から見た場合において、補助ハンドル１０を、接続部１３を介してハンドルロッド２に対し、９０度の角度に突設した場合の振動量を示しており、図８は、補助ハンドル１０を後方へ水平状態に突設した場合、図９は、補助ハンドル１０を上方へ垂直状態に突設した場合に作業者が感じる振動量の相違を示している。
【００２４】
図７のように、作業機１を側面方向から見て、補助ハンドル１０がハンドルロッド２の長さ方向に対して９０度の角度で保持されていても、単に接続脚１２がハンドルロッド２に固定されている場合には、下方に位置する接続脚１２Ａが振動により上方の接続脚１２Ｂの位置へ移動するだけなので、下方の補助ハンドルグリップバー１１を保持している作業者は、下方のグリップバー１１ａがそのまま上方のグリップバー１１ｂの位置へ移動した分の長さＬ１の変移量を、振動として手に直接感ずることになる。
【００２５】
これに対して、本発明では、補助ハンドル１０の両側の接続脚１２が、接続部１３内の弾性体１４により所定の回動角度（９０度）に突設されるとともに、作業機１の振動を受けた場合に、横軸１８の周囲の弾性体１４の伸縮力によって前後方向へ回動可能に接続されているので、作業者が下方に位置する補助ハンドルグリップバー１１ａを保持している状態で、作業機１の振動により接続部１３の横軸１８が上方の位置へ移動しても、接続脚１２は、鎖線で示す接続脚１２Ｃのように、上端の補助ハンドルグリップバー１１ｃが下方に残ったままの傾斜した形状となる。
【００２６】
このように、作業機１の振動により接続部１３の横軸１８が上方へ移動しても、上端の補助ハンドルグリップバー１１ａは、ほぼ同じ位置の補助ハンドルグリップバー１１ｃの位置へ移動するだけなので、下方のグリップバー１１ａと上方のグリップバー１１ｃとが移動した長さは、上下Ｘ軸方向、及び前後Ｙ軸方向とも、グリップバー１１ａの軸線イとグリップバー１１ｃの軸線ロとの間のごく短い長さであり、その結果、作業者に伝えられる振動の変移量は大幅に低減されることになる。
【００２７】
図８は、補助ハンドル１０をハンドルロッド２に対し、後方へ水平状態に突設した場合の例を示しており、この場合は、下方に示した接続脚１２Ａが振動により上方の接続脚１２Ｂの位置へ移動しようとすると、接続脚１２は弾性体１４の伸縮力により鎖線で示す接続脚１２Ｃの位置へ回転するため、振動を生ずる前の接続脚１２Ａのグリップバー１１ａと、振動した後の接続脚１２Ｃのグリップバー１１ｃとの間の上下Ｙ軸方向の変移量は減らすことができても、振動を生ずる前の接続脚１２Ａのグリップバー１１ａの軸線イと、振動した後の接続脚１２Ｃのグリップバー１１ｃの軸線ハとの間に前後Ｘ軸方向に大きな振動の変移量を生ずることになり振動を吸収できない。
【００２８】
図９は、補助ハンドル１０をハンドルロッド２に対し、上方へ垂直状態に突設した場合の例を示しており、この場合は、下方に示した接続脚１２Ａが振動により上方の接続脚１２Ｂの位置へ移動しようとすると、接続脚１２は弾性体１４の伸縮力により鎖線で示す接続脚１２Ｃの位置へ回転するため、振動を生ずる前の接続脚１２Ａのグリップバー１１ａと、振動した後の接続脚１２Ｃのグリップバー１１ｃとの間の前後Ｘ軸方向の変移量は減らすことができても、振動を生ずる前の接続脚１２Ａのグリップバー１１ａの軸線イと、振動した後の接続脚１２Ｃのグリップバー１１ｃの軸線ニとの間に上下Ｙ軸方向に大きな振動の変移量を生ずることになり、振動を吸収できない。
【００２９】
一方、図１０に示すように、作業機１が左右方向への揺動を受けることによってハンドルロッド２に左右方向への振動を生ずるが、この左右方向への振動に対しては、ハンドルロッド２の下端を弾性体４ａ，４ｂを有する連結部３によって、作業機１に対してハンドルロッド２が振れ易いように連結したことと、ハンドルロッド２の上端に弾性体１４ａ、１４ｂを有する接続部１３を設けて、補助ハンドル１０の接続脚１２が、これらの弾性体により接続部１３内で前後、上下方向のみならず左右方向への振動にも対応できるように接続させたので、例えば、ハンドルロッド２が鎖線のように機体前進方向に対して右方向へ振れた際に、補助ハンドル１０の接続脚１２が接続部１３内で反対の左方向へ揺動して、ハンドルロッド２が右方向へ振れる力を補助ハンドル１０が抑制し、作業者が受ける右方向への振動量を軽減することができる。
【００３０】
上記の説明では、補助ハンドル１０を作業機の側面から見てハンドルロッド２の長さ方向に対して、上向きで９０度の角度を保持するように設けたが、図１２に示すように、この補助ハンドル１０は、ハンドルロッド２の長さ方向に対して、下向きで９０度の角度を保持するように設けるようにしてもよい。
【００３１】
また、図２に示すように、ハンドルロッド２は、上端間を把手バーによって連結せず、左右一対のハンドルロッド２がそれぞれ独自に動けるような構成とし、これらのロッドの間をＵ字型補助ハンドル１０により連結したが、図１１のように、ハンドルとしては、ハンドルロッド２の上端が把手バー２Ａにより連結された本来のＵ字型ハンドルを用い、この操作ハンドルの先端にアーム２１を突設して、アーム２１の先端にＵ字型補助ハンドル１０が接続されるような構成としてもよい。
【００３２】
さらに、図１３のように、左右のハンドルロッド２の上端間を平鋼製の連結板２２により連結した構造としてもよく、この場合は、連結板の幅方向の撓み力によりハンドルロッド２の左右方向への振動を効果的に吸収することができる。
【００３３】
以上に述べたように、本発明の操作ハンドルによれば、作業機１から操作ハンドルロッド２を介して作業者に伝えられる上下、前後及び左右方向の振動を有効に吸収することができるので、この種の作業機を操作する作業者の安全に適切に対応することができる。
【００３４】
なお、上記の構成は作業機のうちプレートコンパクターに適用した例について説明したが、本発明はプレートコンパクター以外にも振動を発生する作業機であって、機体の後方に突設されたハンドルを保持する作業者が作業機からの前後、上下、左右方向からの振動を受けることになる作業機であれば、防振対策として適用できるものである。
【産業上の利用可能性】
【００３５】
本発明は、左右のハンドルロッド下端を、作業機側面に対して弾性体を有する関節手段により接続し、ハンドルロッドの上端間をＵ字型補助ハンドルの接続脚と弾性体を有する関節手段により接続するので、作業機による振動をそれぞれの関節手段が効果的に吸収することができ、軽便な手段により振動を的確に抑制できるので、直ちに実用に供せられる利用度の高いものである。
【図面の簡単な説明】
【００３６】
【図１】本発明に係る操作ハンドルを備えた作業機の全体側面図。
【図２】同じく図１の操作ハンドルを備えた作業機の平面図。
【図３】図１のＡ−Ａ線方向より見たハンドルロッド回転部の断面図。
【図４】図１のＢ−Ｂ線方向より見た補助ハンドル接続金具の断面図。
【図５】図２のＣ−Ｃ線方向より見た補助ハンドル接続金具の断面図。
【図６】補助ハンドルの構成を示す一部縦断側面図。
【図７】補助ハンドルをハンドルロッドに対して９０度に接続した場合における振動の吸収状態を示す側面図。
【図８】補助ハンドルをハンドルロッドに対して、別の角度に接続した場合における振動の吸収状態を示す側面図。
【図９】補助ハンドルをハンドルロッドに対して、さらに別の角度に接続した場合における振動の吸収状態を示す側面図。
【図１０】ハンドルロッドに作用する左右方向の振動の吸収作用を説明する平面図。
【図１１】ハンドルロッドと補助ハンドルとの別の構成を示す斜視図。
【図１２】ハンドルロッドと補助ハンドルとの、さらに別の構成を示す全体側面図。
【図１３】ハンドルロッドと補助ハンドルとの、さらに別の構成を示す部分斜視図。
【符号の説明】
【００３７】
１：作業機、
２：ハンドルロッド、
３：回転部、
４ａ，４ｂ：弾性体、
６：軸受けパイプ、
７：カップリング、
８：横軸、
９：当て板、
１０：Ｕ字型補助ハンドル、
１１：グリップバー、
１２：接続脚、
１３：接続金具、
１４ａ，１４ｂ：弾性体、
１５：箱形ケース、
１６：軸受けパイプ、
１７：カップリング、
１８：横軸、
１９：当て板、
２０：ナット、
２１：アーム、
２２：平鋼製連結板、
【図１】
2006169759.tif 000003
【図２】
2006169759.tif 000004
【図３】
2006169759.tif 000005
【図４】
2006169759.tif 000006
【図５】
2006169759.tif 000007
【図６】
2006169759.tif 000008
【図７】
2006169759.tif 000009
【図８】
2006169759.tif 000010
【図９】
2006169759.tif 000011
【図１０】
2006169759.tif 000012
【図１１】
2006169759.tif 000013
【図１２】
2006169759.tif 000014
【図１３】
2006169759.tif 000015